(57)【要約】      （修正有）【課題】地上アナログ放送の終了に伴うスムーズな移行を可能とする。【解決手段】テレビジョン受信装置Ａは、デジタル変調波復調部１と、アナログ選局状態保持部３と、デジタル放送状態監視部５と、アナログ変調波復調部９と、デジタル復号化処理部２３と、を有している。デジタル放送状態監視部５は、装置Ａの電源オフ時に、デジタル変調波復調部１に対して同調するかどうかの監視を行なう。同調するチャネルがみつかれば、次のアナログ選局時に後述のメッセージ表示とともに、デジタルへの移行処理手段の提供を行なう。この際、アナログ選局状態保持部３に記憶されている前回の状態と、現時点での状態との相違点（差異）をみて、相違点があればその相違点に関連する新たなメッセージを出すようにシステム制御部７が表示制御する。【選択図】  図１
2007243642.tif 000002
【特許請求の範囲】
【請求項１】
デジタル放送とアナログ放送との両方を視聴可能なテレビジョン受信装置であって、
前記アナログ放送の番組を選局する操作がなされた際に、前記アナログ放送の放送終了に関する予告メッセージを表示することを特徴とするテレビジョン受信装置。
【請求項２】
前記予告メッセージに加えて、受信機設置箇所におけるデジタル放送の開始に関する情報メッセージを表示することを特徴とする請求項１に記載のテレビジョン受信装置。
【請求項３】
前記予告メッセージに加えて、受信機設置箇所におけるデジタル放送選局への移行を促す移行促進手段を有することを特徴とする請求項１又は２に記載のテレビジョン受信装置。
【請求項４】
デジタル放送とアナログ放送との両方を視聴可能なテレビジョン受信装置であって、
アナログ変調波復調部とデジタル変調波復調部とに対して選局指示を行なうシステム制御部と、
装置の電源オフ時に、デジタル変調波復調部に対して同調するかどうかの監視を行なうデジタル放送状態監視部であって、デジタルへの移行処理を行なうための監視を行なうデジタル放送状態監視部と、を有し、
アナログ放送の番組を選局する操作がなされた際に、同調するチャネルがみつかれば、次のアナログ選局時に前記アナログ放送の放送終了に関する予告メッセージを含むメッセージを記憶するメッセージ記憶部内に記憶されているメッセージ群から選択された予告メッセージを表示部に表示させる前記システム制御部からの指示に基づく制御を行なう表示制御部を有することを特徴とするテレビジョン受信装置。
【請求項５】
前記表示部にメッセージを表示させる際に、アナログの選局状態を保持するアナログ選局状態保持部に記憶されている前回の状態と現時点での状態と、の相違点に基づいて、相違点があればその相違点に関連する新たなメッセージを出すように制御が行なわれることを特徴とする請求項４に記載のテレビジョン受信装置。
【請求項６】
前回のメッセージ表示からの経過時間を計測する手段と、
計測に基づいて設定されたある時間を経過して次のアナログ選局が行なわれた場合に、アナログ放送終了予告メッセージを表示させることを特徴とする請求項４又は５に記載のテレビジョン受信装置。
【請求項７】
前回のメッセージ表示からの経過時間を計測する手段と、
計測に基づいて設定されたある時間を経過して次のアナログ選局が行なわれた場合に、メッセージの今回表示時間とアナログ放送終了時間との差分を計算して得られた残り日数を前記アナログ放送終了予告メッセージとともに表示させることを特徴とする請求項６に記載のテレビジョン受信装置。
【請求項８】
設置位置においてデジタル放送が既に開始しているかどうかに関する情報を取得し、該情報に基づいて、デジタル放送が開始されていればその旨の情報を加えてメッセージ表示させることを特徴とする請求項４から７までのいずれか１項に記載のテレビジョン受信装置。
【請求項９】
デジタル放送が既に開始している場合に、デジタル放送への切り替え手段をユーザに提供することを特徴とする請求項４から８までのいずれか１項に記載のテレビジョン受信装置。
【請求項１０】
前記デジタル情報の開始に関する情報を、装置の電源オフ時において、サーチチャネルの初期値を設定し、選局処理を行なうことにより得られた情報に基づいて行なうことを特徴とする請求項４から９までのいずれか１項に記載のテレビジョン受信装置。
【発明の詳細な説明】
【技術分野】
【０００１】
本発明は、テレビジョン受信装置に関し、より詳細には、アナログ放送とデジタル放送とを視聴可能なテレビジョン受信装置に関する。
【背景技術】
【０００２】
デジタル放送への移行期間である現時点においては、地上アナログ放送と地上デジタル放送とを視聴可能なテレビジョン受信装置が販売されている。２０１１年に地上アナログ放送が終了することになっており、アナログ放送やデジタル放送の放送状態が変化(チャンネル増減等)した場合の最適な対応法などが提案されている（特許文献１参照）。
【０００３】
【特許文献１】特開２００４-２２２０５０号公報
【発明の開示】
【発明が解決しようとする課題】
【０００４】
例えば、上記特許文献１では、取得・記録していた番組情報(チャンネル周波数等)が引越しなどで事前に状態変化した場合に、全周波数の再サーチ処理を行う技術を開示する。しかしながら、地上アナログ放送の終了に伴う問題を解決するものではない。
【０００５】
また、例えば、出願人が製造しているデジタルテレビにおいては、地上デジタル放送チューナ、BS/CSデジタル放送チューナの他に、地上アナログ放送チューナも内蔵している。地上デジタル放送が開始されていない地域では、依然として地上アナログ放送を視聴している家庭が少なくなく、また２０１１年の地上アナログ放送終了時期の認知度は１割未満との調査結果もあり、アナログ停波に関するユーザへの告知は緊急の課題となっている。上記地区でデジタル放送が開始された場合でも、従来の装置では、例えばテレビに搭載されたお知らせランプが点灯するだけであり、アナログ視聴を続けているユーザには、その地区でデジタル放送が開始されたことを判別しにくいという問題がある。また、移行時においてユーザがどのような対応を取ったら良いのかがわからない状態を解消する必要がある。
【０００６】
本発明は、地上アナログ放送の終了に伴うスムーズな移行を可能とすることを目的とする。
【課題を解決するための手段】
【０００７】
本発明では、地上アナログ放送チューナを選局した状態を検出し、検出時点でメッセージ表示処理部を通して「終了予告メッセージ」を画面上に表示する。但し、上記アナログ放送選局検出時点で、毎回メッセージを表示するとユーザの視聴利便性を損なう可能性があるため、前回同メッセージを表示した時刻情報を保持し、ある一定期間(例えば6ヵ月)以上経過した時点で同様のアナログ選局操作が行われた場合に、再度同様のメッセージを再表示する。ユーザ地区でデジタル放送が開始された時点で、その状態を検知し、その旨アナログ放送画面上で「アナログ放送終了予告メッセージ」のほかにデジタル放送開始のメッセージを表示し、同時に移行手段(デジタル放送のチャンネルスキャン等)を提供する。
【０００８】
すなわち、本発明の一観点によれば、デジタル放送とアナログ放送との両方を視聴可能なテレビジョン受信装置であって、前記アナログ放送の番組を選局する操作がなされた際に、前記アナログ放送の放送終了に関する予告メッセージを表示することを特徴とするテレビジョン受信装置が提供される。ユーザに対して事前通告を行なうことで、アナログ放送の終了を周知させることができる。
【０００９】
前記予告メッセージに加えて、受信機設置箇所におけるデジタル放送の開始に関する情報メッセージを表示することが好ましい。これにより、デジタル放送への移行に関する情報を知らせることができる。
【００１０】
前記予告メッセージに加えて、受信機設置箇所におけるデジタル放送選局への移行を促す移行促進手段を有することが好ましい。これにより、デジタル放送への移行をよりスムーズに行なわせることができる。
【００１１】
本発明の他の観点によれば、デジタル放送とアナログ放送との両方を視聴可能なテレビジョン受信装置であって、アナログ変調波復調部とデジタル変調波復調部とに対して選局指示を行なうシステム制御部と、装置Ａの電源オフ時に、デジタル変調波復調部に対して同調するかどうかの監視を行なうデジタル放送状態監視部であって、デジタルへの移行処理を行なうための監視を行なうデジタル放送状態監視部と、を有し、アナログ放送の番組を選局する操作がなされた際に、同調するチャネルがみつかれば、次のアナログ選局時に前記アナログ放送の放送終了に関する予告メッセージを含むメッセージを記憶するメッセージ記憶部内に記憶されているメッセージ群から選択された予告メッセージを表示部に表示させる前記システム制御部からの指示に基づく制御を行なう表示制御部を有することを特徴とするテレビジョン受信装置が提供される。
【発明の効果】
【００１２】
本発明によれば、アナログ放送に選局するたびに画面上にて「終了予告メッセージ」を表示することで、ユーザに対して２０１１年のアナログ放送終了を確実に告知することができ、結果としてアナログ放送終了時のユーザの混乱を緩和することが出来る。
【００１３】
また、前回メッセージ表示した時間を保持しておき、再表示までの期間を設定できるようにしておくことで、ユーザにストレスなく「終了予告メッセージ」を確実に告知できる。
【００１４】
また、「終了予告メッセージ」に２０１１年７月までの逆算日数を表示することで、より確実な期限情報を提供できる。その地区でデジタル放送が開始された場合に、上記「終了予告メッセージ」に合わせて、デジタル開始メッセージも同時に表示、かつデジタル放送のチャンネルスキャン等の手段を提供することで、ユーザのスムーズな移行が可能となる。
【発明を実施するための最良の形態】
【００１５】
以下に、本発明の一実施の形態によるテレビジョン受信装置について図面を参照しながら説明を行なう。図１は、本実施の形態によるテレビジョン受信装置の一構成例を示す機能ブロック図である。図１に示すテレビジョン受信装置Ａは、デジタル変調波復調部１と、アナログ選局状態保持部３と、デジタル放送状態監視部５と、システム制御部７と、各種処理のためのプログラムを格納するＲＯＭ７ａと、アナログ変調波復調部９と、グラフィック描画多重表示処理部１１と、メッセージ記憶部１１ａと、表示デバイス部１５と、スピーカ１７と、リモートコントロール装置（リモコン装置）２１と、リモコン受光部１９と、デジタル復号化処理部２３と、音声出力処理部２５と、信号処理部２７と、アンテナ３１と、を有している。
【００１６】
システム制御部７は、アナログ変調波復調部９と、デジタル変調波復調部１と、に対してそれぞれの選局に関する制御を行なう。デジタル放送状態監視部５は、装置Ａの電源オフ時に、デジタル変調波復調部１に対して同調するデジタル放送チャネルが存在するかどうかの監視を行なう。同調するチャネルがみつかれば、次のアナログ選局時にメッセージ表示とともに、デジタルへの移行処理手段の提供を行なう。その際のメッセージ等がメッセージ記憶部１１ａに記憶されている。このメッセージに基づいて表示デバイス部１５にメッセージが表示される。システム制御部７からのメッセージ表示制御に基づいてグラフィック描画多重表示処理部１１を介して表示デバイス１５にメッセージを表示させる。この際、アナログ選局状態保持部３に記憶されている前回の状態と、現時点での状態との相違点（差異）をみて、相違点があればその相違点に関連する新たなメッセージを出すようにシステム制御部７が表示制御する。尚、アナログ選局状態保持部３は、前回の状態を保持する機能を有する。また、リモートコントロール装置２１は、リモコン受光部１９を介して、ユーザの指示を装置に伝達する。また、一般的なタイマを有し、表示、更新などのイベントの発生時刻をタイマにより取得し、イベントと対応付けて記憶しておくことができる。
【００１７】
図６は、図１において、アナログ信号Ａとデジタル信号Ｄとの画像表示の流れを加えて示した図である。図６に示すように、アナログ信号は、システム制御部７から、アナログ変調波復調部９、信号処理部２７、グラフィック描画多重表示処理部１１、を通って表示デバイス１５に出力される。一方、デジタル信号は、システム制御部７から、デジタル変調波復調部１、デジタル復号化処理部２３、グラフィック描画多重表示処理部１１を通って表示デバイス１５に出力される。
【００１８】
以下に、フローチャート図を参照して、メッセージ表示動作に流れについて説明を行なう。図７は、メッセージ表示に関連する第１の処理の流れを示すフローチャート図である。アナログ選局時に（ステップＳ０）、ステップＳ１において、以前に「アナログ放送終了」メッセージを表示したことがあるか否かを判定する。表示していなければ（Ｎ）、ステップＳ２において今回表示時間情報を取得する。次いで、ステップＳ３において例えば図２に示すような表示画面５１にアナログ放送終了予告メッセージ５３を表示し、ステップＳ４において今回表示時間情報を更新・保存し、処理を終了する（ステップＳ５）。
【００１９】
ステップＳ１においてＹの場合には、前回表示時間情報と今回表示時間情報とを取得し、ステップＳ７において、前回表示時間から指定された時間(例えば６ヶ月)が経過しているか否かを判断する。経過していれば（Ｙ）、ステップＳ３に進む。経過していなければ（Ｎ）、ステップＳ８に進み表示を行なわず、処理を終了する（ステップＳ５）。
【００２０】
このようにして、以前に「アナログ放送終了」メッセージを表示したことがない場合、或いは、以前に表示した場合であっても前回表示時間から指定された時間が経過している場合には、「アナログ放送終了」メッセージを表示する。これにより、ユーザに「アナログ放送終了」を確認的に報知することができる。
【００２１】
図８は、第２の処理の流れを示すフローチャート図である。図８に示すように、図７に示した処理とは、ステップＳ１２で今回表示時間情報を取得した後に、ステップＳ１３において、今回表示時間情報の表示時刻とアナログ放送終了時期との差分を計算し、次いで、ステップＳ１４において、アナログ放送終了予告メッセージ＋残り日数を表示した後に、ステップＳ１５において今回表示時間情報を更新・保存する点で処理が異なる。図８に示す処理では、図３に示すように、今回表示時間情報の表示時刻とアナログ放送終了時期との差分に基づいて、表示画面５１に、アナログ放送終了予告メッセージに加えて、残り日数を表示する（５５）ため、ユーザは、あとどのくらいでアナログ放送が終了するかに関する情報も得ることができる。
【００２２】
図９は、第３の処理の流れを示すフローチャート図である。図９に示すように、アナログ選局時に（ステップＳ２０）、ステップＳ２１において、以前に「アナログ放送終了」メッセージを表示したことがあるか否かを判定する。表示していなければ（Ｎ）、ステップＳ２２において今回表示時間情報を取得する。次いで、ステップＳ２３において、デジタル放送開始状態を取得する。次いで、ステップＳ２４において、受信機が設置されている当該地区で既にデジタル放送が開始しているか否かを判定する。デジタル放送が既に開始されていなければ（Ｎ）、ステップＳ２５に進み、アナログ放送終了予告メッセージ（図２参照）を表示し、ステップＳ２６において今回表示時間情報を更新・保存し、ステップＳ２７において処理を終了する。ステップＳ２４においてデジタル放送が既に開始されていれば（Ｙ）、ステップＳ２８に進み、図４に示すように、表示画面５１にアナログ放送終了予告メッセージとデジタル放送開始案内表示５７とが行なわれる。次いで、ステップＳ２９において今回表示時間情報を更新・保存し、ステップＳ２７で処理を終了する。尚、デジタル放送の開始に関する情報を取得する方法については後述する（図１１）。
【００２３】
ステップ２１においてＹの場合には、ステップＳ３０に進み、前回表示時間情報と今回表示時間情報とを取得する。次いで、ステップＳ３１において前回表示時間から指定された時間(例では６ヶ月)が経過しているか否かを判定する。経過している場合には（Ｙ）ステップＳ２３に進む。経過していない場合には（Ｎ）、ステップＳ３２においてデジタル放送開始状態を取得し、ステップＳ３３において受信機が設置されている当該地区で既にデジタル放送が開始しているか否かを判断し、開始している場合には（Ｙ）ステップＳ３４においてデジタル放送開始案内表示を行い、処理を終了する（ステップＳ２７）。開始していない場合には（Ｎ）表示せずに（ステップＳ３５）、ステップＳ２７に進む。
【００２４】
以上のように、第３の処理においては、受信機の設置されている当該地区においてデジタル放送が開始しているか否かを判断してデジタル放送開始案内表示などを行なうか否かを判断するため、ユーザにとってよりわかりやすい案内を行なうことができる。
【００２５】
図１０Ａ、図１０Ｂは、第４の処理の流れを示すフローチャート図である。図９と比較するとわかるように、受信機の設置されている当該地区で既にデジタル放送が開始されている場合に（Ｙ）ステップＳ５６においてデジタル放送開始切り替え手段を提供する。例えば、図５に示すように、表示画面５１において、終了表示とデジタル放送が既に開始されている旨の表示と、デジタル地上波サービスを視聴するか否かをユーザに選択させる手段（はい：６３、いいえ：６５）を表示させる。ここで、ステップＳ５８において例えばユーザ操作によりデジタルへの切り替えが指令された場合にはステップＳ５９においてデジタル選局手段を利用してデジタル選局を行なう。ユーザ操作によりデジタルへの切り替えが選択されなかった場合にはステップＳ４７において処理を終了する。
【００２６】
また、ステップＳ４８において、アナログ放送終了予告メッセージ表示＋デジタル放送開始切替手段提供が行なわれ、ステップＳ４９において今回表示時間情報を更新・保存し、ステップＳ５０においてデジタル放送へ切り替える操作が成されたか否かによって、ＹでればステップＳ５１でデジタル選局を行ない、Ｎであれば処理を終了する（ステップＳ４７）。
【００２７】
以上のように、第４の処理においては、当該地区で既にデジタル放送が開始されている場合には、ユーザに対してデジタル視聴への切り替え手段を提供する点を特徴とする。
【００２８】
図１１は、デジタル放送の開始に関する情報を取得する処理例の流れを示すフローチャート図である。図１１に示すように、まず、ステップＳ６０において受信機の電源がオフされると、ステップＳ６１においてサーチチャネル初期値が設定される。ステップＳ６２において選局処理が行なわれ、ステップＳ６３において信号の有無を判定する。この信号の有無については、例えば選局処理において指定した周波数で変調されたデジタル放送波が同調し、かつデジタル放送受信に必要なＰＡＴ(Program Association Table)やＮＩＴ(Network Information Table)が存在するか否かを確認することで判定できる。尚、ＰＡＴやＮＩＴは、ＩＳＯ／ＩＥＣ１３８１８で定義されているデジタル放送受信に必要な情報テーブルで、デジタル放送信号に多重されている。信号が有れば（Ｙ）、ステップＳ６６に進み信号あり情報を保持した後に、信号がなければ（Ｎ）直接にステップＳ６４に進む。ステップＳ６４において全チャネルサーチを完了したか否かを判定し、完了していなければ（Ｎ）ステップＳ６７においてサーチチャネルをインクリメント（＋１）し、ステップＳ６２の選局処理を行なう。全チャネルサーチが完了すると、ステップＳ６５において処理を終了する。
【００２９】
以上に説明したように、本実施の形態によるテレビジョン受信装置によれば、アナログ放送の終了に関する前回メッセージを表示した時刻情報を保持し、ある一定期間(例えば６ヵ月)以上経過した時点で同様のアナログ選局操作が行われた場合に、再度同様のメッセージを再表示することで、ユーザへの事前告知を確認的に行なうことができる。
【００３０】
また、受信機が設置されているその地区でデジタル放送が開始された時点で、ユーザにデジタル放送への移行を促すことができる。その結果、放送終了に対するユーザの混乱が軽減し、スムーズなデジタル放送への移行が可能となる。
【産業上の利用可能性】
【００３１】
本発明は、テレビジョン受信装置に利用可能である。
【図面の簡単な説明】
【００３２】
【図１】本発明の一実施の形態によるテレビジョン受信装置の一構成例を示す機能ブロック図である。
【図２】表示画面にアナログ放送終了予告メッセージを表示した表示例を示す図である。
【図３】今回表示時間情報の表示時刻とアナログ放送終了時期との差分に基づいて、表示画面に、アナログ放送終了予告メッセージに加えて、残り日数を表示して表示例を示す図である。
【図４】表示画面にアナログ放送終了予告メッセージとデジタル放送開始案内表示とが行なわれた例を示す図である。
【図５】表示画面に、終了表示とデジタル放送が既に開始されている旨の表示と、デジタル地上波サービスを視聴するか否かをユーザに選択させる手段を表示させた表示例を示す図である。
【図６】図１において、アナログ信号Ａとデジタル信号Ｄとの流れを加えて示した図である。
【図７】メッセージ表示に関連する第１の処理の流れを示すフローチャート図である。
【図８】第２の処理の流れを示すフローチャート図である。
【図９】第３の処理の流れを示すフローチャート図である。
【図１０Ａ】第４の処理の流れを示すフローチャート図である。
【図１０Ｂ】第４の処理の流れを示すフローチャート図であり、図１０Ａに続く図である。
【図１１】デジタル放送の開始に関する情報を取得する処理例の流れを示すフローチャート図である。
【符号の説明】
【００３３】
Ａ…テレビジョン受信装置、１…デジタル変調波復調部、３…アナログ選局状態保持部、５…デジタル放送状態監視部、７…システム制御部、７ａ…各種処理のためのプログラムを格納するＲＯＭ、９…アナログ変調波復調部、１１…グラフィック描画多重表示処理部、１１ａ…メッセージ記憶部、１５…表示デバイス部、１７…スピーカ、１９…リモコン受光部、２１…リモートコントロール装置（リモコン装置）、２３…デジタル復号化処理部、２５…音声出力処理部、２７…信号処理部、３１…アンテナ３１。
【図１】
2007243642.tif 000003
【図２】
2007243642.tif 000004
【図３】
2007243642.tif 000005
【図４】
2007243642.tif 000006
【図５】
2007243642.tif 000007
【図６】
2007243642.tif 000008
【図７】
2007243642.tif 000009
【図８】
2007243642.tif 000010
【図９】
2007243642.tif 000011
【図１０Ａ】
2007243642.tif 000012
【図１０Ｂ】
2007243642.tif 000013
【図１１】
2007243642.tif 000014